(57)【特許請求の範囲】
【請求項１】
枠体に形成した凹溝にガスケットを介してガラス板などの薄い板体を嵌めた薄板の取付け構造において、上記枠体の各コーナー部に外れ防止材を取付けて上記ガスケットが凹溝から外れ出ないように押え、上記外れ防止材として互いに垂直を成す縦面と横面を有す厚さの薄い板状ピースを用い、このピースの上記縦面及び横面から係止片を突出すると共に、上記係止片に厚さ調整片を繋ぎ部を介して連結し、この係止片を薄板が嵌った凹溝の隙間に嵌入して取付けたことを特徴とする枠体に嵌めた薄板の取付け構造。
【請求項２】
枠体に形成した凹溝にガスケットを介してガラス板などの薄い板体を嵌めた薄板の取付け構造において、上記枠体の各コーナー部に外れ防止材を取付けて上記ガスケットが凹溝から外れ出ないように押え、上記外れ防止材として互いに垂直を成す縦面と横面を有す厚さの薄い板状ピースを用い、このピースの上記縦面及び横面から係止片を突出すると共に、上記係止片に複数枚の剥離部を積層し、この係止片を薄板が嵌った凹溝の隙間に嵌入して取付けたことを特徴とする枠体に嵌めた薄板の取付け構造。
【請求項３】
上記ピースは先端側を薄くし、コーナー側を厚くなるように表面をテーパー面とした請求項１、又は請求項２記載の枠体に嵌めた薄板の取付け構造。
【請求項４】
枠体に形成した凹溝にガスケットを介してガラス板などの薄い板体を嵌めた薄板の取付け構造において、上記枠体の各コーナー部に外れ防止材を取付けて上記ガスケットが凹溝から外れ出ないように押え、上記外れ防止材として刺し込みピンを用いてコーナー部のガスケットに刺し込み、その先端を枠体表面部の突片に係止したことを特徴とする枠体に嵌めた薄板の取付け構造。
【請求項５】
枠体に形成した凹溝にガスケットを介してガラス板などの薄板を嵌め、上記ガスケットが凹溝から外れ出ないようにコーナー部に取付けられる外れ防止材において、上記コーナー部のガスケットを押える為に互いに垂直を成す縦面と横面を有すピースであり、上記縦面と横面には薄板が嵌った凹溝の隙間に嵌入することが出来る係止片を突出し、そして、上記係止片に肉厚を薄くした繋ぎ部を介して厚さ調整片を連結したことを特徴とするガスケットの外れ防止材。
【請求項６】
枠体に形成した凹溝にガスケットを介してガラス板などの薄板を嵌め、上記ガスケットが凹溝から外れ出ないようにコーナー部に取付けられる外れ防止材において、上記コーナー部のガスケットを押える為に互いに垂直を成す縦面と横面を有すピースであり、上記縦面と横面には薄板が嵌った凹溝の隙間に嵌入することが出来る係止片を突出し、そして、上記係止片に複数枚の剥離部を積層したことを特徴とするガスケットの外れ防止材。
【請求項７】
上記ピースの先端側の厚さを薄くし、コーナー側を厚くして、表面をテーパー面とした請求項５、又は請求項６記載のガスケットの外れ防止材。
【請求項８】
枠体に形成した凹溝にガスケットを介してガラス板などの薄板を嵌め、上記ガスケットが凹溝から外れ出ないようにコーナー部に取付けられる外れ防止材において、その形態をピン状とし、コーナー部のガスケットに刺し込んで隙間に形成した突片に係止する先端を有すことを特徴とするガスケットの外れ防止材。
【発明の詳細な説明】
【技術分野】
【０００１】
本発明は枠体にガラス板などの薄板を安定して嵌めることが出来る取付け構造、及び枠体の凹溝に嵌った薄板を保持することが出来るガスケットの外れ防止材に関するものである。
【背景技術】
【０００２】
建具類には引戸、ドア、折戸など色々あるが、これら建具類にガラス板が嵌って取付けられているケースは多い。そして、ガラス板は建具が完成した状態で枠体に嵌めることが出来る構造と成っていて、この場合、ガラス板の周囲を押えることが出来るガスケットが使用されている。ガスケットは単にガラス板を枠体に嵌める手段としてのみならず、枠体とガラス板間の隙間を塞ぎ、気密性や水密性を確保することが出来、その為に材質としてはゴムやシリコンから成っている。
【０００３】
ところで、上記ガスケットは枠体に嵌ったガラス板の周囲に沿って該ガラス板の両面側に取付けられるが、その一部は外れてはみ出すことが多い。特に枠体のコーナー部のガスケットが外れやすく、その為に気密性や水密性が損なわれると共に外観も損なわれる。図８は建具を構成するパネルの具体例であり、枠体（イ）にはガラス板（ロ）が嵌り、ガラス板（ロ）の周囲にはガスケット（ハ）が嵌っている。
【０００４】
枠体（イ）には凹溝が形成され、この凹溝にガラス板（ロ）の周辺部が嵌入し、この状態で該凹溝の隙間にガスケット（ハ）が嵌ってガラス板（ロ）がガタ付かないように止着している。ガスケット（ハ）はガラス板（ロ）の両側に嵌っているが、同図に示すごとくコーナー部ではガスケット（ハ）が凹溝から外れ出す場合が多い。ガスケット（ハ）は柔らかいゴム質又はシリコン質から成っているが、多少の張力が付与された状態で凹溝の隙間に嵌っていると、該張力の作用でコーナー部のガスケット（ハ）は外れ出やすくなる。
【０００５】
そこで、ガスケット（ハ）がはみ出さないように、接着剤にて固着する場合もあり、又はみ出したガスケット（ハ）を取外して新たなガスケット（ハ）に交換する場合もある。しかし、ガスケット（ハ）を固着するならば、ガラス板（ロ）が破損した場合の交換がし難くなり、又ガスケット（ハ）の交換は容易でない。特に大きなガラス板（ロ）が嵌っている枠体ともなれば、素人では不可能である。
枠体に嵌るのはガラス板だけでなく、薄いプラスチック板やその他の薄板を嵌める場合も同じである。
【発明の開示】
【発明が解決しようとする課題】
【０００６】
このように枠体の凹溝にガスケットを介してガラス板などの薄板を取付ける構造には上記のごとき問題がある。本発明が解決しようとする課題はこの問題点であり、ガスケットが凹溝から外れ出ないようにした薄板の取付け構造及びガスケットの外れ防止材を提供する。ここで、薄板とはガラス板のような一定厚さの板材を言い、その具体的な厚さ寸法や材質を限定するものではない。
【課題を解決するための手段】
【０００７】
本発明に係る薄板の取付け構造は、枠体に形成した凹溝に薄板を嵌めると共に、該凹溝にガスケットを嵌入して該薄板を保持するように構成しており、基本構造は従来のものと共通している。ところで、本発明では上記凹溝に嵌めて薄板を保持するガスケットが該凹溝から外れ出ないように、外れ防止材を各コーナーに止着している。ここで、外れ防止材とは目立たない小さいピースであって、コーナーになじむことが出来る形状であれば特に限定しない。
【０００８】
又、外れ防止材の止着手段の１つとして両面テープが使用され、両面テープを介して外れ防止材は薄板に止着される。一方、外れ防止材に係止片を設け、該係止片を凹溝の隙間に嵌めて係止する方法を用いることも出来る。
【０００９】
そして、外れ防止材は凹溝から外に出て、ガスケット面に当接して該ガスケットの外れ防止が図られる。さらに、ガスケットのコーナーをピン止めすることも可能である。ゴム製又はシリコン製のガスケットにはピンを刺し込むことが出来、ピン先端は凹溝内の突片に係止しして抜けないように止着される。
【発明の効果】
【００１０】
このように、本発明では外れ防止材をガスケットのコーナーに止着することで、凹溝の隙間に嵌ったガスケットが該凹溝から外れ出すことはない。従って、枠体に嵌った薄板を保持するガスケットが該枠体のコーナー部の凹溝から露出すことがなく、ガラス窓などの枠体の外観は常に良好となる。そして、ガスケットが凹溝から外れ出ない為に、枠体の気密性並びに水密性が保持され、断熱性も維持される。
【００１１】
又、本発明の外れ防止材は誰にでも簡単に枠体コーナーに取付けることが出来る。そして、該外れ防止材はあらゆる形態のガラス窓に取付けてガスケットの外れ防止を図ることが出来、すなわち汎用性が備わっている。一方、ガラス板などの薄板に面して取付けられる薄いピース形状の外れ防止材の場合、その表面を傾斜させて先端側の厚さを薄くすることで、ガラス拭きを行う際に引っ掛かって邪魔になることがないようにしている。
【図面の簡単な説明】
【００１２】
【図１】本発明に係る外れ防止材。
【図２】本発明に係る外れ防止材。
【図３】外れ防止材を用いたガラス板の取付け構造。
【図４】外れ防止材を用いたガラス板の取付け構造。
【図５】厚さ調整片を係止片に備えた外れ防止材。
【図６】複数枚の剥離部を係止片に積層した外れ防止材。
【図７】外れ防止材を用いたガラス板の取付け構造。
【図８】枠体のコーナーにガスケットがはみ出した状態。
【発明を実施するための形態】
【００１３】
図１は本発明に係る外れ防止材１を示す実施例であり、（ａ）は三角形をした外れ防止材、（ｂ）はＬ形の外れ防止材、（ｃ）はハート形の外れ防止材、（ｄ）は概略三角形の外れ防止材、（ｅ）は円弧形の外れ防止材を夫々示している。これら各外れ防止材１は樹脂を材質とした成形品であり、裏面には両面テープが貼着されている。従って、該両面テープを介してガラス面やその他の薄板面に止着される。
【００１４】
このように外れ防止材１の形状は限定されないが、枠体のコーナーに面して取付けてガスケットを押圧することが出来るように、縦面２と横面３は互いに垂直を成す角度と成っている。そして、外れ防止材１の先端縁４はコーナー側５に比較して厚さを薄くし、例えばガラス拭きをした際に引っ掛かって邪魔にならないように考慮されている。勿論、全体を同一厚さとする場合もある。
【００１５】
図２は外れ防止材６を示している他の実施例である。（ａ）はＬ形の外れ防止材、（ｂ）は三角形の外れ防止材、（ｃ）はハート形の外れ防止材を夫々表し、これら外れ防止材６の場合も互いに垂直を成す縦面２と横面３を有している。そして縦面２から係止片７ａを突出し、横面３から係止片７ｂを突出している。すなわち、同図に示す外れ防止材６は両面テープを介してガラス面に止着するのではなく、両係止片７ａ，７ｂを枠体に形成している凹溝の隙間に嵌めて止着し、縦面２と横面３にてガスケットが凹溝からはみ出さないように押えることが出来る。
【００１６】
図３は折戸８を示し、枠体９にはガラス板１０が嵌って取付けられている。該枠体９にはガラス板１０が嵌る凹溝１１が内側周囲に形成され、ガラス板１０は該凹溝１１に嵌ると共に両面側に設けているガスケット１２，１３によって保持されている。該凹溝１１の幅はガラス板１０の厚さ寸法に比較して大きく、その為に凹溝１１に嵌ったガラス板１０との隙間にガスケット１２，１３が嵌っている。
【００１７】
ガスケット１２，１３はゴム質又はシリコン質などの柔らかい材質から成って、一定断面の紐状部材である。この紐状をしたガスケット１２，１３は凹溝１１の隙間２０に嵌められ、そして各コーナーでは外周側が切欠かれて屈曲し易いように成っている。一般には連続した１本のガスケット１２，１３の状態で凹溝１１に嵌るが、各コーナー部では該凹溝１１から外れ出やすい為に外れ防止材１，１・・・を止着している。
【００１８】
ただし、一方側のガスケット１２は、ガラス板１０が枠体９に嵌る前に、該枠体９の凹溝１１内に形成した溝に係合して取付けられており、従って、該凹溝１１からガスケット１２が外れ出ることはない為に、一般に外れ防止材１，１・・・は止着されない。しかし、他方側のガスケット１３はガラス板１０を枠体９に嵌めた後で凹溝１１の隙間２０に嵌入する。ガスケット１３を狭い隙間２０に押込むに際して僅かに伸び、張力が発生した状態となる場合が多い。その為に、各コーナー部では張力の影響で凹溝１１から外れ出やすくなる。又、ガスケット１３はゴム質又はシリコン質などの柔らかい材質から成っており、温度変化により伸縮する。そこで、各コーナー部ではこの温度変化に伴って伸縮することで該凹溝１１から外れ出る場合がある。
【００１９】
そこで、図３に示すように外れ防止材１がガラス面に貼着され、縦面２と横面３は縦桟の凹溝１１に嵌っているガスケット１３と横桟の凹溝１１に嵌っているガスケット１３を押えて外れ防止が図られる。同図では図１の（ａ）に示している外れ防止材１であるが、（ｂ）〜（ｅ）の外れ防止材１を使用することもある。そして、ガラス面には裏面に設けている両面テープを介して貼着される。
【００２０】
図４は図２（ａ）に示す係止片７ａ，７ｂを形成した外れ防止材６を用いたガラス板１０の取付け構造である。該外れ防止材６はガラス面に貼着されることなく、上記係止片７ａ，７ｂが凹溝１１の隙間に嵌って取付けられる。この場合、該係止片７ａ，７ｂが凹溝１１の隙間２０に嵌ることが出来るように、この部分のガスケット１３の一部が削除されている。そして、該外れ防止材６の縦面２と横面３は枠体９の内面に当接又は近接し、ガスケット１３，１３は縦面２及び横面３に当って外れ出ることはない。ここで、上記係止片７ａ，７ｂを凹溝１１の隙間２０に嵌めるに当って、必ずしもガスケット１３の一部を削除しない場合もある。
【００２１】
ところで、係止片７ａ，７ｂはガラス板１０が凹溝１１に嵌った状態の隙間２０に嵌入されるが、ガラス板１０の厚さの変化に対応出来るように、該係止片７ａ，７ｂの厚さは調整可能としている。図５は断面図であるが、外れ防止材６に形成した係止片７を示し、該係止片７には厚さ調整片１４ａ，１４ｂを有し、厚さ調整片１４ａは係止片７と薄肉化した繋ぎ部１５ａを介して連結し、又厚さ調整片１４ｂは薄肉化した繋ぎ部１５ｂを介して上記厚さ調整片１４ａと連結している。
【００２２】
そこで、図５（ｂ）に示すように薄肉化した繋ぎ部１５ａ，１５ｂにて厚さ調整片１４ａ，１４ｂは屈曲し、（ｃ）に示すように厚さ調整片１４ａ，１４ｂは重なり合って折畳まれる。そこで、係止片７に両厚さ調整片１４ａ，１４ｂがプラスされて全体の厚さはＴとなる。凹溝１１に嵌ったガラス板１０と表面部１６との間に形成される隙間２０に厚さ調整片１４ａ，１４ｂが重なり合った係止片７が嵌入して取付けられる。
【００２３】
この隙間２０の大きさに応じて１枚の厚さ調整片１４ａだけとしたり、時には厚さ調整片１４ａ，１４ｂを用いないで係止片７だけとする場合もある。この際には、薄肉化している繋ぎ部１５ａ，１５ｂにて厚さ調整片１４ａ，１４ｂを削除することが出来る。従って、外れ防止材６は２つの係止片７ａ，７ｂを隙間２０に嵌めることで枠体９の内側コーナーに取付けられ、ガスケット１３，１３の外れを防止する。
【００２４】
図６は該係止片７に厚さ調整手段を備えた別形態を示している。すなわち、係止片７は複数枚の剥離部２１ａ，２１ｂ・・を有し、該剥離部２１ａ，２１ｂ・・は互いに積層されていて、これを剥がすことで必要は厚さ寸法とすることが出来る。同図の（ａ）では３枚の剥離部２１ａ，２１ｂ・・が積層されており、係止片７の厚さ寸法はａとしている。そこで、（ｂ）に示すように剥離部２１ａを剥がすならば（ｃ）のように係止片７の厚さ寸法はｂとなる。
【００２５】
図７はガスケット１３が外れ出ないように刺し込みピン１７を使用した場合の実施例である。該刺し込みピン１７はガスケット１３を貫通し、概略Ｖ形をした先端１９が枠体９の表面部１６に形成した突片１８に係止して抜けないようになる。ところで、該刺し込みピン１７，１７はコーナーの中心から僅かに離れた位置に刺し込んで取付けられ、コーナー部でのガスケット１３の外れ防止が図られる。
【符号の説明】
【００２６】
１  外れ防止材
２  縦面
３  横面
４  先端縁
５  コーナー側
６  外れ防止材
７  係止片
８  折戸
９  枠体
10  ガラス板
11  凹溝
12  ガスケット
13  ガスケット
14  厚さ調整片
15  繋ぎ部
16  表面部
17  刺し込みピン
18  突片
19  先端
20  隙間
21  剥離部
【図１】
0005453648.tif 000002
【図２】
0005453648.tif 000003
【図３】
0005453648.tif 000004
【図４】
0005453648.tif 000005
【図５】
0005453648.tif 000006
【図６】
0005453648.tif 000007
【図７】
0005453648.tif 000008
【図８】
0005453648.tif 000009